(57)【要約】  本発明に係る密閉型圧縮機（１００）においては、吸入マフラー（１６０）は、バルブプレート（１５１）の吸入孔（１５１ａ）に連結される連通管（１６２）を備えている。連通管（１６２）は、吸入マフラー（１６０）からシリンダ（１３３）の他端に向かって上方に延伸し、その上端に、吸入孔（１５１ａ）に連通する連通管出口部（１６２ａ）が設けられている。シリンダヘッド（１５２）の下部には、連通管出口部（１６２ａ）を内部に収容する凹部（１５２ｄ）が設けられている。連通管出口部（１６２）と凹部（１５２ｄ）との間には、密閉容器内ガス流入空間（１５２ｂ）が設けられている。密閉容器内ガス流入空間（１５２ｂ）は、密閉容器（１０１）内の密閉空間に連通する隙間である。
2014122931.tif 000002
【特許請求の範囲】
【請求項１】
内部が密閉空間となっている密閉容器と、
当該密閉容器内に収容される電動要素と、
前記密閉容器内に収容され、前記電動要素により駆動され冷媒ガスを圧縮する圧縮要素と、を備え、
前記圧縮要素は、
その軸が上下方向となるように支持され、前記電動要素により回転駆動されるクランクシャフトと、
その軸が当該クランクシャフトの軸方向に対して交差する方向となるように設けられ、前記クランクシャフトの回転により往復運動するピストンと、
内部に圧縮室を形成し、その一端から前記ピストンが往復運動可能に挿入されているシリンダと、
前記シリンダの他端を封止するとともに、吸入孔および吐出孔が形成されたバルブプレートと、
前記シリンダの他端に対して前記バルブプレートを介して固定され、内部に前記吐出孔に連通する吐出空間を有するシリンダヘッドと、
前記シリンダよりも下方に位置し、内部に消音空間を有し、前記吸入孔に連結される連通管を備える吸入マフラーと、
を備え、
前記連通管は、前記吸入マフラーから前記シリンダの他端に向かって上方に延伸し、その上端に、前記吸入孔に連通する連通管出口部が設けられ、
前記シリンダヘッドの下部には、前記連通管出口部を内部に収容する凹部が設けられ、
前記連通管出口部と前記凹部との間には、前記密閉空間に連通する隙間である、密閉容器内ガス流入空間が設けられている、
密閉型圧縮機。
【請求項２】
前記クランクシャフトの軸方向を縦方向とし、前記ピストンの軸方向を横方向としたときに、
前記密閉容器内ガス流入空間は、前記吐出空間の下方に位置し、かつ、前記連通管出口部の上部周面に面するように前記横方向に延伸する第一隙間と、前記連通管出口部の側部周面に面するように前記縦方向に延伸する第二隙間と、から構成され、
前記第一隙間の厚みは、前記第二隙間の厚みよりも大きくなっている、
請求項１に記載の密閉型圧縮機。
【請求項３】
前記連通管出口部の先端に設けられる開口部は、前記吸入孔に挿入されている、
請求項１に記載の密閉型圧縮機。
【請求項４】
前記シリンダヘッドには、当該シリンダヘッドの下部のうち、前記吸入孔を横方向に投影した投影面となる位置に、切欠き部が形成されている、
請求項１に記載の密閉型圧縮機。
【請求項５】
前記連通管出口部には、前記バルブプレートに面する外周に、前記密閉空間から隔離された断熱空間が設けられているとともに、
当該断熱空間と前記連通管出口部の内部とを連通する連通孔が設けられている、
請求項１に記載の密閉型圧縮機。
【請求項６】
前記吸入マフラーは、樹脂を用いて成型され、
前記断熱空間は、前記吸入マフラーの成型時に一体的に形成されている、
請求項５に記載の密閉型圧縮機。
【請求項７】
複数の運転周波数でインバータ駆動される、
請求項１から６のいずれか１項に記載の密閉型圧縮機。
【請求項８】
請求項１から７のいずれか１項に記載の密閉型圧縮機と、放熱器と、減圧装置と、吸熱器と、を配管によって環状に連結した冷媒回路を有している、
冷凍装置。
【発明の詳細な説明】
【技術分野】
【０００１】
本発明は、各種冷凍装置等の冷凍サイクルに用いられる密閉型圧縮機、並びに、これを用いた冷凍装置に関するものである。
【背景技術】
【０００２】
冷凍サイクルを備える冷凍装置は、家庭用電気冷凍冷蔵庫、または、ショーケースとして、家庭用または業務用に広く用いられている。近年、地球環境保護に対する要求はますます強まってきているので、冷凍サイクルに用いられる密閉型圧縮機においても高効率化が強く要望されている。【０００３】
従来、密閉型圧縮機において圧縮効率の低下を防止する技術としては、例えば、特許文献１に開示される空気圧縮機が知られている。この空気圧縮機は、シリンダヘッドに吐出室および吸込室を設け、それぞれを形成する周壁を冷却溝で分離した構成を有している。【０００４】
具体的には、図７に示すように、特許文献１に開示される空気圧縮機は、ピストン５１２、シリンダ５１３、弁座板５１４、シリンダヘッド５１８、吸込弁５２９、吐出弁５３１等を備えている。【０００５】
ピストン５１２は、シリンダ５１３内を往復運動する。シリンダ５１３の端面には弁座板５１４が設けられ、この弁座板５１４は、吸込ポート５２８および吐出ポート（図示せず）を有しており、吸込弁５２９および吐出弁５３１が設けられている。吸込ポート５２８は吸込弁５２９により開閉され、吐出ポートは吐出弁５３１により開閉される。弁座板５１４の上にはシリンダヘッド５１８が設けられ、このシリンダヘッド５１８は、吸込ポート５２８に通じる吸込室５１５と吐出ポートに通じる吐出室５１６とを有している。【０００６】
シリンダヘッド５１８は、単一部材からなり、シリンダ５１３に対して、弁座板５１４とともに固定されている。吸込室５１５は、周壁５２５によりシリンダヘッド５１８の片側に寄せて形成されている。吐出室５１６は、吸込室５１５を形成する周壁５２５を囲み、かつ、シリンダヘッド５１８の上面全体に広がりを持つ周壁５１７により形成されている。周壁５２５と周壁５１７との間には、深く切れ込んだ冷却溝５２６が形成されている。
【先行技術文献】
【特許文献】
【０００７】
【特許文献１】特許第２６８８８０９号公報
【発明の概要】
【発明が解決しようとする課題】
【０００８】
しかしながら、前記従来の構成では、シリンダヘッド５１８は単一部材で構成されているので、冷却溝５２６が形成されていても、吸込室５１５を形成する周壁５２５と、吐出室５１６を形成する周壁５１７とは互いにつながっていることになる。そのため、吐出室５１６内の高温の冷媒ガスにより周壁５１７が加熱されると、周壁５１７の熱が周壁５２５へ伝熱し、周壁５２５が高温となってしまう。これにより、吸込室５１５内に吸入された冷媒ガスも加熱されるため、体積効率が低下するという課題を有していた。【０００９】
また、弁座板５１４には吸込ポート５２８が設けられているが、弁座板５１４も、吐出室５１６内の冷媒ガスおよびシリンダ５１３内の圧縮された冷媒ガスにより加熱される。これにより、弁座板５１４の熱によっても吸入された冷媒ガスが加熱されるため、前記と同様に、体積効率が低下するという課題を有していた。【００１０】
本発明は、このような課題を解決するためになされたものであって、吸入した冷媒ガスの温度上昇を抑制することで、体積効率の低下を有効に抑制し、効率の高い密閉型圧縮機を提供することを目的とする。
【課題を解決するための手段】
【００１１】
本発明に係る密閉型圧縮機は、前記の課題を解決するために、内部が密閉空間となっている密閉容器と、当該密閉容器内に収容される電動要素と、前記密閉容器内に収容され、前記電動要素により駆動され冷媒ガスを圧縮する圧縮要素と、を備え、前記圧縮要素は、その軸が上下方向となるように支持され、前記電動要素により回転駆動されるクランクシャフトと、その軸が当該クランクシャフトの軸方向に対して交差する方向となるように設けられ、前記クランクシャフトの回転により往復運動するピストンと、内部に圧縮室を形成し、その一端から前記ピストンが往復運動可能に挿入されているシリンダと、前記シリンダの他端を封止するとともに、吸入孔および吐出孔が形成されたバルブプレートと、前記シリンダの他端に対して前記バルブプレートを介して固定され、内部に前記吐出孔に連通する吐出空間を有するシリンダヘッドと、前記シリンダよりも下方に位置し、内部に消音空間を有し、前記吸入孔に連結される連通管を備える吸入マフラーと、を備え、前記連通管は、前記吸入マフラーから前記シリンダの他端に向かって上方に延伸し、その上端に、前記吸入孔に連通する連通管出口部が設けられ、前記シリンダヘッドの下部には、前記連通管出口部を内部に収容する凹部が設けられ、前記連通管出口部と前記凹部との間には、前記密閉空間に連通する隙間である、密閉容器内ガス流入空間が設けられている構成である。【００１２】
また、本発明に係る冷凍装置は、前記構成の密閉型圧縮機と、放熱器と、減圧装置と、吸熱器と、を配管によって環状に連結した冷媒回路を有している構成である。【００１３】
本発明の上記目的、他の目的、特徴、及び利点は、添付図面参照の下、以下の好適な実施態様の詳細な説明から明らかにされる。
【発明の効果】
【００１４】
本発明では、以上の構成により、吸入した冷媒ガスの温度上昇を抑制することで、体積効率の低下を有効に抑制し、効率の高い密閉型圧縮機を提供することができる、という効果を奏する。
【図面の簡単な説明】
【００１５】
【図１】本発明の実施の形態１に係る密閉型圧縮機の代表的な構成例を示す模式的な縦断面図である。
【図２】図１に示す密閉型圧縮機における点線枠Ａの構成を拡大して示す模式的な縦断面図である。
【図３】図２に示すシリンダヘッドのより具体的な構成を示す模式的な縦断面図である。
【図４】図１に示す密閉型圧縮機において、シリンダヘッドおよび吸入マフラーの出口部の構成をブロック矢印Ｂの方向から見た状態を示す模式的平面図である。
【図５】図１に示す密閉型圧縮機における点線枠Ａの構成の変形例を示す模式的な断面図である。
【図６】本発明の実施の形態２に係る冷凍装置の基本的な構成を説明する模式図である。
【図７】従来の空気圧縮機のシリンダヘッド近傍の構成例を示す縦断面である。
【発明を実施するための形態】
【００１６】
本発明に係る密閉型圧縮機は、内部が密閉空間となっている密閉容器と、当該密閉容器内に収容される電動要素と、前記密閉容器内に収容され、前記電動要素により駆動され冷媒ガスを圧縮する圧縮要素と、を備え、前記圧縮要素は、その軸が上下方向となるように支持され、前記電動要素により回転駆動されるクランクシャフトと、その軸が当該クランクシャフトの軸方向に対して交差する方向となるように設けられ、前記クランクシャフトの回転により往復運動するピストンと、内部に圧縮室を形成し、その一端から前記ピストンが往復運動可能に挿入されているシリンダと、前記シリンダの他端を封止するとともに、吸入孔および吐出孔が形成されたバルブプレートと、前記シリンダの他端に対して前記バルブプレートを介して固定され、内部に前記吐出孔に連通する吐出空間を有するシリンダヘッドと、前記シリンダよりも下方に位置し、内部に消音空間を有し、前記吸入孔に連結される連通管を備える吸入マフラーと、を備え、前記連通管は、前記吸入マフラーから前記シリンダの他端に向かって上方に延伸し、その上端に、前記吸入孔に連通する連通管出口部が設けられ、前記シリンダヘッドの下部には、前記連通管出口部を内部に収容する凹部が設けられ、前記連通管出口部と前記凹部との間には、前記密閉空間に連通する隙間である、密閉容器内ガス流入空間が設けられている構成である。
【００１７】
前記構成によれば、連通管出口部とシリンダヘッドとの間に、密閉容器内ガス流入空間という断熱層を形成することになる。これにより、高温のシリンダヘッドから連通管出口部への伝熱を抑制することができる。それゆえ、連通管内を流れる、吸入した冷媒ガスの温度上昇を抑制し、体積効率の低下を有効に抑制することができる。これにより、密閉型圧縮機の効率を良好なものとすることができる。
【００１８】
前記構成の密閉型圧縮機においては、前記クランクシャフトの軸方向を縦方向とし、前記ピストンの軸方向を横方向としたときに、前記吐出空間の下方に位置し、かつ、前記連通管出口部の上部周面に面するように前記横方向に延伸する第一隙間と、前記連通管出口部の側部周面に面するように前記縦方向に延伸する第二隙間と、から構成され、前記第一隙間の厚みは、前記第二隙間の厚みよりも大きくなっている構成であってもよい。
【００１９】
前記構成によれば、第一隙間は、シリンダヘッドのうち吐出空間を内包するヘッド上部側に位置し、第二隙間は、シリンダヘッドのうちヘッド下部側に位置している。吐出空間の内部は、密閉容器内部の密閉空間よりも高温であるため、第一隙間の厚みを大きくすることで、特に熱量の多い吐出空間からの伝熱を有効に抑制することができる。それゆえ、連通管内を流れる冷媒ガスの温度上昇をより有効に抑制することができる。
【００２０】
また、前記構成の密閉型圧縮機においては、前記連通管出口部の先端に設けられる開口部は、前記吸入孔に挿入されている構成であってもよい。
【００２１】
前記構成によれば、開口部が吸入孔に挿入されているので、連通管出口部を流れる冷媒ガスは、高温のバルブプレートに接触することなく、開口部から圧縮室内に吸入される。これにより、密閉容器内ガス流入空間により冷媒ガスの温度上昇を抑制できるだけでなく、バルブプレートからの伝熱による冷媒ガスの温度上昇することも抑制することができる。
【００２２】
また、前記構成の密閉型圧縮機においては、前記シリンダヘッドには、当該シリンダヘッドの下部のうち、前記吸入孔を横方向に投影した投影面となる位置に、切欠き部が形成されている構成であってもよい。
【００２３】
前記構成によれば、シリンダヘッドと連通管出口部との間には、密閉容器内ガス流入空間だけでなく切欠き部による空間も形成される。これにより、高温のシリンダヘッドから連通管出口部への伝熱をさらに抑制することができる。
【００２４】
また、前記構成の密閉型圧縮機においては、前記連通管出口部には、前記バルブプレートに面する外周に、前記密閉空間から隔離された断熱空間が設けられているとともに、当該断熱空間と前記連通管出口部の内部とを連通する連通孔が設けられている構成であってもよい。
【００２５】
前記構成によれば、連通管出口部とバルブプレートとの間には、冷媒ガスが導入された断熱空間が形成される。それゆえ、断熱空間は冷媒ガスと同程度の温度に保持することができ、バルブプレートから連通管出口部への伝熱をさらに抑制することができる。
【００２６】
また、前記構成の密閉型圧縮機においては、前記吸入マフラーは、樹脂を用いて成型され、前記断熱空間は、前記吸入マフラーの成型時に一体的に形成されている構成であってもよい。
【００２７】
前記構成によれば、吸入マフラーの樹脂成型時に、断熱空間が連通管の形状の一部として一体的に設けられる。それゆえ、断熱空間による断熱効果をより一層向上することができる。
【００２８】
また、前記構成の密閉型圧縮機においては、複数の運転周波数でインバータ駆動される構成であってもよい。
【００２９】
前記構成によれば、密閉容器内ガス流入空間による連通管出口部への伝熱の抑制によって、連通管内を通過する冷媒ガスの流速が遅くても、当該冷媒ガスの温度上昇を有効に抑制することができる。それゆえ、冷媒ガスの流速が遅くなる低速回転でインバータ駆動するような運転周波数を採用しても、密閉型圧縮機の効率を良好なものとすることができる。
【００３０】
また、本発明には、前記構成の密閉型圧縮機と、放熱器と、減圧装置と、吸熱器と、を配管によって環状に連結した冷媒回路を有している、冷凍装置も含まれる。
【００３１】
前記構成によれば、前記構成の密閉型圧縮機を用いた冷媒回路を備えているので、消費電力を低減し、省エネルギー化を実現した冷凍装置を得ることができる。
【００３２】
以下、本発明の好ましい実施の形態を、図面を参照しながら説明する。なお、以下では全ての図を通じて同一又は相当する要素には同一の参照符号を付して、その重複する説明を省略する。
【００３３】
（実施の形態１）
［密閉型圧縮機の構成例］
まず、本実施の形態に係る密閉型圧縮機の具体的な構成の一例について、図１〜図４を参照して説明する。
【００３４】
図１に示すように、本実施の形態に係る密閉型圧縮機１００は、密閉容器１０１内に収容される電動要素１２０および圧縮要素１３０を備えており、密閉容器１０１の内部には、冷媒ガスおよび潤滑油１０３が封入されている。電動要素１２０および圧縮要素１３０は圧縮機本体を構成している。この圧縮機本体は、密閉容器１０１の底部に設けられているサスペンションスプリング１０２によって弾性的に支持された状態で、当該密閉容器１０１内に配置されている。
【００３５】
また、密閉容器１０１には、吸入パイプ１０４および吐出パイプ１０５が設けられている。吸入パイプ１０４は、その一端が密閉容器１０１の内部空間に連通し、他端が図示しない冷凍装置に接続され、冷凍サイクルを構成している。吐出パイプ１０５は、その一端が圧縮要素１３０に接続され、他端が図示しない冷凍装置に接続されている。後述するように圧縮要素１３０で圧縮された冷媒ガスは、吐出パイプ１０５を介して冷凍サイクルに導かれ、冷凍サイクルからの冷媒ガスは、吸入パイプ１０４を介して密閉容器１０１の内部空間に導かれる。
【００３６】
密閉容器１０１の具体的な構成は特に限定されないが、本実施の形態では、例えば、鉄板の絞り成形によって形成されている。密閉容器１０１内に封入されている冷媒ガスは、密閉型圧縮機１００が適用される冷凍サイクルにおいて、低圧側と同等となる圧力で比較的低温の状態で封入されている。また、潤滑油１０３は、圧縮要素１３０が備えるクランクシャフト１４０（後述）の潤滑用に封入されており、図１に示すように、密閉容器１０１の底部に貯留されている。
【００３７】
なお、冷媒ガスの種類は具体的に限定されず、冷凍サイクルの分野で公知のガスが好適に用いられる。本実施の形態では、例えば、炭化水素系冷媒ガスであるＲ６００ａ等が好適に用いられる。Ｒ６００ａは、地球温暖化係数が相対的に低く、地球環境保護の観点から好ましく用いられる冷媒ガスの一つである。また、潤滑油１０３の種類も具体的に限定されず、圧縮機の分野で公知のものを好適に用いることができる。
【００３８】
電動要素１２０は、図１に示すように、少なくともステータ１２１およびロータ１２２で構成されている。ステータ１２１は、圧縮要素１３０が備えるシリンダブロック１３１（後述）の下方に、図示しないボルト等の締結具によって固定され、ロータ１２２は、ステータ１２１の内側で、ステータ１２１と同軸上に配置されている。ロータ１２２は、圧縮要素１３０が備えるクランクシャフト１４０（後述）の主軸１４２を、例えば焼嵌め等により固定している。この電動要素１２０は、図示しない外部のインバータ駆動回路に接続され、複数の運転周波数によりインバータ駆動される。
【００３９】
圧縮要素１３０は、電動要素１２０によって駆動され、冷媒ガスを圧縮する。図１に示すように、圧縮要素１３０は、シリンダブロック１３１、ピストン１３２、シリンダ１３３、圧縮室１３４、軸受部１３５、連結部１３６、クランクシャフト１４０、バルブプレート１５１、シリンダヘッド１５２、吸入バルブ１５３、吸入マフラー１６０等を備えている。
【００４０】
シリンダブロック１３１には、シリンダ１３３および軸受部１３５が設けられている。密閉型圧縮機１００を水平面上に載置したときに、上下方向を縦方向とし、水平方向を横方向としたときに、シリンダ１３３は、密閉容器１０１内において横方向に沿って配置されており、軸受部１３５に固定されている。シリンダ１３３の内部には、ピストン１３２と略同径の略円筒形のボアが形成され、ピストン１３２が往復摺動自在な状態で内部に挿入されている。シリンダ１３３とピストン１３２とによって圧縮室１３４が形成されており、この内部で冷媒ガスが圧縮される。また、軸受部１３５は、クランクシャフト１４０の主軸１４２を回転自在に軸支している。
【００４１】
クランクシャフト１４０は、密閉容器１０１内において、その軸が縦方向となるように支持されており、主軸１４２、偏心軸１４１、給油機構１４３等を備えている。主軸１４２は、前記の通り、電動要素１２０のロータ１２２に固定されており、偏心軸１４１は主軸１４２に対して偏心して形成されている。給油機構１４３は、潤滑油１０３に浸漬された主軸１４２の下端から偏心軸１４１の上端までを連通するように設けられ、給油ポンプおよび主軸１４２の表面に形成される螺旋状の溝等により構成されている。給油機構１４３によりクランクシャフト１４０に対して潤滑油１０３が給油される。
【００４２】
シリンダ１３３に挿入されたピストン１３２は、連結部１３６に連結されている。このピストン１３２の軸は、クランクシャフト１４０の軸方向に対して交差する方向となるように設けられている。本実施の形態では、図２に示すように、クランクシャフト１４０は、軸心が縦方向となるように設けられているが、ピストン１３２は、軸心が横方向となるように設けられている。したがって、ピストン１３２の軸方向は、クランクシャフト１４０の軸方向に対して直交する方向となっている。連結部１３６は、ピストン１３２とクランクシャフト１４０の偏心軸１４１に連結されている。連結部１３６は、電動要素１２０によって回転するクランクシャフト１４０の回転運動をピストン１３２に伝達し、ピストン１３２をシリンダ１３３内で往復運動させる。
【００４３】
シリンダ１３３の一方の端部（クランクシャフト１４０側）には、前記の通りピストン１３２が挿入されているが、他方の端部（クランクシャフト１４０の反対側）は、バルブプレート１５１およびシリンダヘッド１５２によって封止されている。シリンダヘッド１５２は、例えばヘッドボルト等の締結具により、バルブプレート１５１とともにシリンダ１３３に対して共締めで固定されている。バルブプレート１５１は、シリンダ１３３およびシリンダヘッド１５２の間に位置しており、図２に示すように、吸入孔１５１ａおよび吐出孔１５１ｂが設けられている。
【００４４】
シリンダヘッド１５２は、図２、図３および図４に示す横方向の破線Ｃを基準としてヘッド上部１５２−１とヘッド下部１５２−２とに区分することができる。この破線Ｃは、後述する密閉容器内ガス流入空間１５２ｂの上端が基準となっている。ヘッド上部１５２−１は、内部に吐出空間１５２ａを形成する筐体状となっており、ヘッド下部１５２−２には、吸入マフラー１６０の連通管１６２の上端（連通管出口部１６２ａ）が配置可能な凹部１５２ｄが形成されている。なお、図２では、便宜上、凹部１５２ｄを破線の枠で囲んで図示しており、図３および図４では、矢印で図示している。
【００４５】
シリンダヘッド１５２においてバルブプレート１５１に当接する面（圧縮室１３４、シリンダ１３３側の面）を便宜上「当接面１５２ｐ」と称し、その反対側の面を「非当接面１５２ｑ」と称すれば、図３に示すように、シリンダヘッド１５２の吐出空間１５２ａは当接面１５２ｐで開放しており、非当接面１５２ｑで封止されている。また、図４に示すように、当接面１５２ｐは、吐出空間１５２ａの開放面の周囲に位置する平坦な面となっており、図２に示すように、バルブプレート１５１に当接することで、吐出空間１５２ａが封止される。
【００４６】
当接面１５２ｐは、前記の通り平坦な面であるが、非当接面１５２ｑはヘッド下部１５２−２にも存在する。非当接面１５２ｑの上部は、図３上から下に向かって突出するような曲面１５２ｑ−１となっており、非当接面１５２ｑの下部は、吐出空間１５２ａよりも下側に延伸（垂下）した略平坦な第一平坦面１５２ｑ−２と、この第一面から内側に位置する略平坦な第二平坦面１５２ｑ−３とを有している。つまり、非当接面１５２ｑは、図３に示すように、曲面１５２ｑ−１、第一平坦面１５２ｑ−２、および第二平坦面１５２ｑ−３を含む構成となっている。
【００４７】
なお、ヘッド下部１５２−２の凹部１５２ｄの内面は、連通管出口部１６２ａの形状に対応した曲面であり、言い換えれば、連通管出口部１６２ａの外面に対向する面になるので、便宜上、「対向面１５２ｒ」と称する。図２および図４に示すように、連通管出口部１６２ａと対向面１５２ｒとの間には、後述する密閉容器内ガス流入空間１５２ｂが形成されている。また、図２および図４に示すように、バルブプレート１５１と連通管出口部１６２ａとの間には、後述する断熱空間１６２ｃが形成されている。さらに、図２、図３および図４に示すように、ヘッド下部１５２−２には、非当接面１５２ｑ側から、密閉容器内ガス流入空間１５２ｂ（凹部１５２ｄ）に向かって連通するように、後述する切欠き部１５２ｃが形成されている。
【００４８】
吸入孔１５１ａは、吸入マフラー１６０の連通管１６２（連通管出口部１６２ａ）と圧縮室１３４とを連通している。バルブプレート１５１の圧縮室１３４側の面には、吸入孔１５１ａを開閉する吸入バルブ１５３が設けられている。吸入孔１５１ａは、この吸入バルブ１５３により開閉可能に構成される。冷媒ガスは、吸入マフラー１６０から吸入孔１５１ａを介して、吸入バルブ１５３の開放時に圧縮室１３４内に吸入される。
【００４９】
吐出孔１５１ｂは、シリンダヘッド１５２と圧縮室１３４とを連通しており、図示しない吐出バルブにより開閉される。シリンダヘッド１５２の内部には吐出空間１５２ａが形成されており、圧縮室１３４からの冷媒ガスは吐出孔１５１ｂから吐出空間１５２ａに吐出される。シリンダヘッド１５２には吐出管１５４が連結され、吐出管１５４は吐出パイプ１０５に連結されているので、吐出空間１５２ａは、吐出管１５４を介して吐出パイプ１０５に連通していることになる。
【００５０】
吸入マフラー１６０は、シリンダ１３３およびシリンダヘッド１５２から見て、密閉容器１０１内の下方に位置する。吸入マフラー１６０は、例えば、ポリブチレンテレフタレート（ＰＢＴ）等の樹脂にガラス繊維等の強化繊維を添加した複合材料製であって、尾管１６１、連通管１６２、マフラー本体１６３等を備えている。なお、吸入マフラー１６０は、ＰＢＴを含有する複合材料製に限定されず、少なくとも樹脂を用いて成型されたものであればよい。
【００５１】
吸入マフラー１６０の消音空間１６３ａは、マフラー本体１６３により形成される。尾管１６１は、密閉容器１０１の内部空間に連通し、冷媒ガスをマフラー本体１６３内に導く。連通管１６２は、マフラー本体１６３の上部に位置し、バルブプレート１５１の吸入孔１５１ａを介して圧縮室１３４に連通しており、マフラー本体１６３内の冷媒ガスを圧縮室１３４内に導く。
【００５２】
吸入マフラー１６０の連通管１６２は、バルブプレート１５１およびシリンダヘッド１５２の間となる位置で、シリンダ１３３の他方の端部（クランクシャフト１４０の反対側）に向かって上方に延伸しており、その上端には、図２および３に示すように、連通管出口部１６２ａが設けられている。
【００５３】
シリンダヘッド１５２の圧縮室１３４側には、前記の通り凹部１５２ｄが設けられており、連通管出口部１６２ａは、対向面１５２ｒ（凹部１５２ｄの内面）との間に所定の間隔（密閉容器内ガス流入空間１５２ｂ）を形成するように、凹部１５２ｄに挿入されている。凹部１５２ｄの内部には、例えば図示しない弾性部材が配置され、この弾性部材により連通管出口部１６２ａがバルブプレート１５１に押し付けられることで、バルブプレート１５１との間に挟持された状態で固定されている。
【００５４】
連通管出口部１６２ａの先端には開口部１６２ｂが設けられ、この開口部１６２ｂは、バルブプレート１５１の吸入孔１５１ａに連通している。開口部１６２ｂと吸入孔１５１ａとの連通状態は特に限定されないが、本実施の形態では、図２に示すように、開口部１６２ｂが、連通管出口部１６２ａから突出した形状を有しているので、開口部１６２ｂが、吸入孔１５１ａ内に挿入されている。したがって、開口部１６２ｂは、バルブプレート１５１におけるシリンダヘッド１５２側の面に当接するのではなく、吸入孔１５１ａを挿入されてシリンダ１３３側の面に露出している。
【００５５】
このように、連通管出口部１６２ａの開口部１６２ｂと吸入孔１５１ａとが連通していれば、吸入孔１５１ａ（および吸入バルブ１５３）を介して、連通管１６２と圧縮室１３４とが連通されることになる。したがって、吸入マフラー１６０は、連通管１６２を介してシリンダ１３３内の圧縮室１３４に連通しているとともに、シリンダヘッド１５２の凹部１５２ｄ内に連通管１６２の上端（連通管出口部１６２ａ）が付勢されて配置されることにより、バルブプレート１５１に固定されていることになる。
【００５６】
［密閉型圧縮機の動作］
次に、前記構成の密閉型圧縮機１００の動作について、その作用とともに具体的に説明する。なお、図１〜図４には図示しないが、密閉型圧縮機１００は、吸入パイプ１０４と吐出パイプ１０５とが、周知の構成からなる冷凍装置に接続され、冷凍サイクルを構成しているものとする。
【００５７】
まず、外部電源により電動要素１２０に通電されると、ステータ１２１に電流が流れて磁界が発生し、ロータ１２２が回転する。ロータ１２２の回転によりクランクシャフト１４０の主軸１４２が回転し、主軸１４２の回転が偏心軸１４１および連結部１３６を介してピストン１３２に伝達され、ピストン１３２は、シリンダ１３３内を往復運動する。これに伴い、圧縮室１３４内で冷媒ガスの吸入、圧縮、および吐出が行なわれる。
【００５８】
具体的には、シリンダ１３３内においてピストン１３２が移動する方向のうち、圧縮室１３４の容積が増加する方向を、便宜上「増加方向」と称し、圧縮室１３４の容積が減少する方向を、便宜上「減少方向」と称すれば、ピストン１３２が増加方向に移動すると、圧縮室１３４内の冷媒ガスが膨張する。そして、圧縮室１３４内の圧力が吸入圧力を下回ると、圧縮室１３４内の圧力と吸入マフラー１６０内の圧力との差により、吸入バルブ１５３が開き始める。
【００５９】
この動作に伴い、冷凍装置から戻った温度の低い冷媒ガスは、吸入パイプ１０４から密閉容器１０１の内部空間に一旦開放される。その後、冷媒ガスは、吸入マフラー１６０の図示しない吸入口から尾管１６１を経由して、マフラー本体１６３内の消音空間１６３ａに導入される。このとき、前記の通り吸入バルブ１５３が開き始めているので、導入された冷媒ガスは、連通管１６２および吸入孔１５１ａを経由して、圧縮室１３４内に流入する。その後、ピストン１３２が、シリンダ１３３内の下死点から減少方向への移動に転じると、圧縮室１３４内の冷媒ガスが圧縮され、圧縮室１３４内の圧力は上昇する。また、圧縮室１３４内の圧力と吸入マフラー１６０内の圧力との差により、吸入バルブ１５３が閉じる。
【００６０】
次に、圧縮室１３４内の圧力が吐出空間１５２ａ内の圧力を上回ると、圧縮室１３４内の圧力と吐出空間１５２ａ内の圧力との差により、図示しない吐出バルブが開き始める。
【００６１】
この動作に伴い、ピストン１３２がシリンダ１３３内の上死点に達するまでの間、圧縮された冷媒ガスは吐出孔１５１ｂから吐出空間１５２ａへ吐出される。吐出空間１５２ａへ吐出された冷媒ガスは、吐出管１５４および吐出パイプ１０５を経由して、冷凍装置へ送出される。
【００６２】
その後、ピストン１３２が、シリンダ１３３内の上死点から再び増加方向への移動に転じると、圧縮室１３４内の冷媒ガスが膨張するので、圧縮室１３４内の圧力は低下する。圧縮室１３４内の圧力が吐出空間１５２ａ内の圧力を下回ると、吐出バルブが閉じることになる。
【００６３】
このような吸入、圧縮、吐出の各行程がクランクシャフト１４０の１回転毎に繰り返して行われるので、冷媒ガスが冷凍サイクル内を循環する。
【００６４】
［シリンダヘッドおよび連通管出口部の構成］
次に、本発明において、シリンダヘッド１５２および連通管出口部１６２ａにより形成される密閉容器内ガス流入空間１５２ｂに関して、図２〜図４を参照して具体的に説明する。
【００６５】
図２および図４に示すように、シリンダヘッド１５２の凹部１５２ｄにおいて、対向面１５２ｒ（図３参照）と連通管出口部１６２ａとの間には、密閉容器内ガス流入空間１５２ｂが形成されている。密閉容器内ガス流入空間１５２ｂは、横方向の隙間である第一隙間１５２ｂ−１と、縦方向の隙間である第二隙間１５２ｂ−２とで構成されている。
【００６６】
第一隙間１５２ｂ−１は、シリンダヘッド１５２の凹部１５２ｄ内の下面と連通管出口部１６２ａの上周面との間に形成される。ここで、シリンダヘッド１５２の凹部１５２ｄ内の下面とは、凹部１５２ｄの対向面１５２ｒのうち、吐出空間１５２ａ側に位置する湾曲面（凹部１５２ｄの上湾曲面）に対応する。第二隙間１５２ｂ−２は、シリンダヘッド１５２の凹部１５２ｄ内の側面と、連通管出口部１６２ａの側部周面との間に形成される。ここで、シリンダヘッド１５２の凹部１５２ｄ内の側面とは、凹部１５２ｄの対向面１５２ｒのうち、上湾曲面を除く内周湾曲面に相当する。これら第一隙間１５２ｂ−１および第二隙間１５２ｂ−２は、連通管出口部１６２ａの周囲に設けられる連続した一つの隙間、すなわち、密閉容器内ガス流入空間１５２ｂを構成しており、密閉容器１０１内の密閉空間に連通している。
【００６７】
第一隙間１５２ｂ−１は、密閉容器内ガス流入空間１５２ｂにおける横方向の隙間であるので、連通管出口部１６２ａの上部周面に面するように、ピストン１３２の軸方向に沿って延伸する隙間（空間）として位置づけられる。また、第二隙間１５２ｂ−２は、密閉容器内ガス流入空間１５２ｂにおける縦方向の隙間であるので、連通管出口部１６２ａの側部周面に面するように、クランクシャフト１４０の軸方向に延伸する隙間（空間）として位置づけられる。そして、図２に示すように、密閉容器内ガス流入空間１５２ｂは、第一隙間１５２ｂ−１の厚みＷ１が、第二隙間１５２ｂ−２の厚みＷ２よりも大きくなるように形成されている。
【００６８】
ここで、第一隙間１５２ｂ−１の厚みＷ１とは、凹部１５２ｄの上湾曲面から連通管出口部１６２ａの上周面に対して複数の垂線を引いたときに、これら垂線の長さの平均値として設定される。また、第二隙間１５２ｂ−２の厚みＷ２とは、凹部１５２ｄの内周湾曲面から連通管出口部１６２ａの側部周面に対して複数の横方向の垂線を引いたときに、これら垂線の平均値として設定される。
【００６９】
さらに、本実施の形態では、図２、図３および図４に示すように、シリンダヘッド１５２のヘッド下部１５２−２には、切欠き部１５２ｃが設けられている。この切欠き部１５２ｃの位置は、図４において点線で示すように、連通管出口部１６２ａの開口部１６２ｂをヘッド下部１５２−２に投影した位置となっている。開口部１６２ｂは、図２に示すように、バルブプレート１５１の吸入孔１５１ａに連通するように配置されるので、切欠き部１５２ｃは、ヘッド下部１５２−２において、吸入孔１５１ａを投影した位置に設けられている。
【００７０】
切欠き部１５２ｃは、図２および図３に示すように、ヘッド下部１５２−２においてピストン１３２の軸方向に沿って設けられているので、密閉容器内ガス流入空間１５２ｂのうち第二隙間１５２ｂ−２に連通する開口を形成していることになる。また、切欠き部１５２ｃの開口は、図４に示すように、連通管出口部１６２ａの開口部１６２ｂを内部に含むような形状となっていることが好ましい。したがって、切欠き部１５２ｃの開口の大きさは、開口部１６２ｂおよびこれに対応する吸入孔１５１ａの面積よりも大きくなっていることが好ましい。なお、図４では、切欠き部１５２ｃの開口は、横長方形状となっているが、これに限定されない。
【００７１】
加えて、本実施の形態では、図２および図４に示すように、連通管出口部１６２ａにおける開口部１６２ｂの直下となる外周（連通管出口部１６２ａにおけるバルブプレート１５１に対向する外周）には、断熱空間１６２ｃが設けられている。この断熱空間１６２ｃは、連通管出口部１６２ａの外周において凹部として設けられているので、例えば、吸入マフラー１６０を成型する際に連通管１６２の該当箇所に凹部を一体的に形成してもよいし、吸入マフラー１６０を成型した後に凹部を加工してもよい。好ましくは、吸入マフラー１６０の成型時に凹部を一体的に形成すればよい。
【００７２】
この断熱空間１６２ｃの内部と連通管１６２との内部とは、連通孔１６２ｄによって連通している。つまり、連通管出口部１６２ａにおける開口部１６２ｂの直下となる外周には、断熱空間１６２ｃと連通管１６２を貫通する連通孔１６２ｄとが形成されていることになる。断熱空間１６２ｃは、図２および図４に示すように、バルブプレート１５１側に開口した凹部として構成されているが、連通管出口部１６２ａがバルブプレート１５１に当接することで、周囲の密閉空間および密閉容器内ガス流入空間１５２ｂから隔離された閉鎖空間となる。断熱空間１６２ｃ内には、連通管１６２内の冷媒ガスが連通孔１６２ｄを介して導入されるが、断熱空間１６２ｃから冷媒ガスは漏出することがない。
【００７３】
このような密閉容器内ガス流入空間１５２ｂによる、吸入ガスの温度上昇を抑制し、体積効率の低下を有効に抑制する作用効果について、具体的に説明する。
【００７４】
シリンダヘッド１５２およびこれに密接するバルブプレート１５１は、吐出空間１５２ａ内の高温の冷媒ガスにより加熱されて高温になる。さらに、バルブプレート１５１は、圧縮室１３４内の圧縮された冷媒ガスによっても加熱されて高温になる。一般的な構成の密閉型圧縮機であれば、吸入マフラー１６０内に吸入された冷媒ガスは、連通管出口部１６２ａからバルブプレート１５１の吸入孔１５１ａを通過する際に、バルブプレート１５１により加熱されて体積が増加する。それゆえ、従来の密閉型圧縮機であれば、その体積効率が低下してしまう。
【００７５】
これに対して、本実施の形態のように、連通管出口部１６２ａとシリンダヘッド１５２との間に密閉容器内ガス流入空間１５２ｂが設けられていれば、この密閉容器内ガス流入空間１５２ｂが断熱層となって、高温のシリンダヘッド１５２から連通管出口部１６２ａへの伝熱を抑制することができる。それゆえ、圧縮室１３４に冷媒ガスが吸入される際に、冷媒ガスの加熱が有効に抑制されるので、密閉型圧縮機１００の体積効率を向上することができる。
【００７６】
また、空間温度について比較すると、吸入マフラー１６０の連通管１６２の内部温度に比べて、シリンダヘッド１５２内の吐出空間１５２ａの温度が最も高く、次いで、密閉容器１０１の内部空間の温度が高くなる。それゆえ、連通管１６２内（特に、連通管出口部１６２ａ内）を流れる冷媒ガスへの伝熱を抑制する観点から、密閉容器内ガス流入空間１５２ｂは、ピストン１３２の軸方向（横方向）に沿った第一隙間１５２ｂ−１の厚みＷ１を、クランクシャフト１４０の軸方向（縦方向）に沿った第二隙間１５２ｂ−２の厚みＷ２よりも大きくするように構成されている。つまり、吐出空間１５２ａの下方に位置する第一隙間１５２ｂ−１の厚みＷ１を第二隙間１５２ｂ−２の厚みＷ２よりも大きくすれば、特に熱量の多い吐出空間１５２ａから連通管出口部１６２ａへの伝熱を有効に抑制することができる。
【００７７】
また、本実施の形態では、図２に示すように、連通管出口部１６２ａの先端の開口部１６２ｂが突出しているので、吸入孔１５１ａ内に挿入されている。それゆえ、連通管１６２内を流れる冷媒ガスが圧縮室１３４内に吸入される際に、低温の冷媒ガスが高温のバルブプレート１５１に直接接触することを回避できる。
【００７８】
本実施の形態によれば、連通管出口部１６２ａの内部では、密閉容器内ガス流入空間１５２ｂの第二隙間１５２ｂ−２により、シリンダヘッド１５２のヘッド下部１５２−２から冷媒ガスへの伝熱が抑制され、第一隙間１５２ｂ−１により、ヘッド上部１５２−１内の吐出空間１５２ａから冷媒ガスへの伝熱が抑制されている。それゆえ、開口部１６２ｂから吸入孔１５１ａを介して圧縮室１３４内に吸入される冷媒ガスの温度上昇は、有効に抑制されている。しかも、前記の通り、開口部１６２ｂが吸入孔１５１ａに挿入されていれば、開口部１６２ｂが断熱層として機能することになる。それゆえ、温度上昇が抑制された冷媒ガスに対して、高温のバルブプレート１５１から伝熱することを抑制することができるので、圧縮室１３４内には、温度上昇が抑制された低温の冷媒ガスを吸入させることができる。
【００７９】
また、シリンダヘッド１５２のヘッド下部１５２−２には、吸入孔１５１ａの横方向の投影面上に、吸入孔１５１ａの開口面積を含む大きさの切欠き部１５２ｃが設けられている。これにより、連通管出口部１６２ａの開口部１６２ｂから見て横方向には、高温のシリンダヘッド１５２（ヘッド下部１５２−２）が部分的に存在しないことになる。さらに、連通管出口部１６２ａとヘッド下部１５２−２との間には密閉容器内ガス流入空間１５２ｂの第二隙間１５２ｂ−２が形成され、連通管出口部１６２ａとヘッド上部１５２−１との間には密閉容器内ガス流入空間１５２ｂの第一隙間１５２ｂ−１が形成されている。それゆえ、密閉容器内ガス流入空間１５２ｂを挟んで、シリンダヘッド１５２と連通管出口部１６２ａとが重なり合う面積を減少させることができる。したがって、高温のシリンダヘッド１５２から連通管出口部１６２ａに対する伝熱をより一層有効に抑制することができ、冷媒ガスの温度上昇をさらに抑制することができる。
【００８０】
しかも、連通管出口部１６２ａには、開口部１６２ｂの直下となる外周に、密閉空間から隔離された断熱空間１６２ｃが設けられている。この断熱空間１６２ｃは、前記の通り、吸入マフラー１６０の成型時に一体的に形成され、その内部には、連通孔１６２ｄから冷媒ガスが導入されている。それゆえ、断熱空間１６２ｃは、内部に導入された低温の冷媒ガスによって、当該冷媒ガスの温度に近い低温に保持することができる。これにより、連通管出口部１６２ａのバルブプレート１５１側の外周とバルブプレート１５１との間を断熱することができる。それゆえ、連通管出口部１６２ａは、密閉容器内ガス流入空間１５２ｂによりシリンダヘッド１５２から断熱されるとともに、断熱空間１６２ｃにより断熱される。したがって、連通管出口部１６２ａ内を流れる冷媒ガスの温度上昇をさらに一層抑制することができる。
【００８１】
このように、本実施の形態では、少なくとも、密閉容器内ガス流入空間１５２ｂが形成されることにより、シリンダヘッド１５２からの連通管出口部１６２ａへの伝熱を抑制することができる。しかも、シリンダヘッド１５２のヘッド下部１５２−２に切欠き部１５２ｃが設けられることにより、連通管出口部１６２ａへの伝熱をより一層抑制することができる。さらに、連通管出口部１６２ａの開口部１６２ｂが吸入孔１５１ａに挿入されていれば、バルブプレート１５１から開口部１６２ｂ内の冷媒ガスへの伝熱を抑制することができ、連通管出口部１６２ａの開口部１６２ｂの直下に断熱空間１６２ｃが設けられていれば、バルブプレート１５１から連通管出口部１６２ａへの伝熱をさらに抑制することができる。それゆえ、本実施の形態によれば、連通管１６２内を流れる、吸入された冷媒ガスの温度上昇を有効に抑制することができるので、体積効率を向上させることが可能となり、密閉型圧縮機１００の効率を向上することができる。
【００８２】
［変形例］
本実施の形態では、密閉型圧縮機１００の運転周波数については特に限定されないが、複数の運転周波数でインバータ駆動されるように密閉型圧縮機１００が構成されてもよい。本実施の形態では、前記の通り、少なくとも密閉容器内ガス流入空間１５２ｂが設けられることにより、高温のシリンダヘッド１５２およびバルブプレート１５１から、連通管出口部１６２ａ内を流れる冷媒ガスへの伝熱が抑制されている。これにより、連通管１６２内を通過する冷媒ガスの速度が相対的に遅い場合であっても、シリンダヘッド１５２およびバルブプレート１５１から冷媒ガスへの伝熱が有効に抑制される。それゆえ、密閉型圧縮機１００を低速回転するようにインバータ駆動することができる。
【００８３】
また、本実施の形態では、密閉容器内ガス流入空間１５２ｂは、横方向（ピストン１３２の軸方向）に延伸し、湾曲断面を有する第一隙間１５２ｂ−１と、縦方向（クランクシャフト１４０の軸方向）に延伸し、湾曲断面を有する第二隙間１５２ｂ−２とから構成されている。しかしながら、密閉容器内ガス流入空間１５２ｂの構成はこれに限定されず、密閉型圧縮機１００の具体的な構成に応じて、第一隙間１５２ｂ−１および第二隙間１５２ｂ−２以外の隙間を含む構成であってもよい。
【００８４】
つまり、密閉容器内ガス流入空間１５２ｂのうち第一隙間１５２ｂ−１は、連通管出口部１６２ａの上部周面を断熱しており、第二隙間１５２ｂ−２は、連通管出口部１６２ａにおけるバルブプレート１５１に面する位置以外の側部周面を断熱しているが、密閉型圧縮機１００の構成に応じて、連通管出口部１６２ａの他の周面を断熱したり、連通管出口部１６２ａ以外の連通管１６２の周面を断熱したりする隙間を含んでもよい。
【００８５】
また、本実施の形態では、シリンダヘッド１５２のヘッド下部１５２−２に切欠き部１５２ｃが設けられているが、図５に示すように、ヘッド下部１５２−２に切欠き部１５２ｃが設けられていなくてもよい。この場合、切欠き部１５２ｃを備える構成（図２に示す構成）と比較して、第二隙間１５２ｂ−２の厚みＷ２を大きく設定してもよい。したがって、密閉容器内ガス流入空間１５２ｂにおいては、より高温の吐出空間１５２ａ側に位置する第一隙間１５２ｂ−１の厚みＷ１が、第二隙間１５２ｂ−２の厚みＷ２よりも大きいことが好ましいが、密閉型圧縮機１００の具体的な構成によっては、第一隙間１５２ｂ−１の厚みＷ１と第二隙間１５２ｂ−２の厚みＷ２とは同等であってもよいし、第二隙間１５２ｂ−２の厚みＷ２の方が大きくてもよい。
【００８６】
また、連通管出口部１６２ａとシリンダヘッド１５２の凹部１５２ｄとの間には、密閉容器内ガス流入空間１５２ｂの厚みＷ１およびＷ２を好適に保持するために、公知のスペーサが設けられてもよい。このスペーサは、熱伝導率が低いものであり、かつ、凹部１５２ｄの対向面１５２ｒと連通管出口部１６２ａの外周面との間で形状を保持できる程度の剛性を有するものであればよい。
【００８７】
（実施の形態２）
本実施の形態２では、前記実施の形態１で説明した密閉型圧縮機１００を備える冷凍装置の一例について、図６を参照して具体的に説明する。
【００８８】
本発明に係る密閉型圧縮機１００は、冷凍サイクルまたはこれと実質同等な構成を有する各種機器（冷凍装置）に広く好適に用いることができる。具体的には、例えば、冷蔵庫（家庭用冷蔵庫、業務用冷蔵庫）、製氷機、ショーケース、除湿器、ヒートポンプ式給湯機、ヒートポンプ式洗濯乾燥機、自動販売機、エアーコンディショナー、空気圧縮機等を挙げることができるが、特に限定されない。本実施の形態では、本発明に係る密閉型圧縮機１００の適用例として、図６に示す物品貯蔵装置を挙げて、冷凍装置２００の基本的な構成を説明する。
【００８９】
図６に示す冷凍装置２００は、冷凍装置本体２０１および冷媒回路２０５を備えている。冷凍装置本体２０１は、一面が開口した断熱性の箱体と、この箱体の開口を開閉する扉体とから構成されている。冷凍装置本体２０１の内部は、物品を貯蔵する貯蔵空間２０２と、冷媒回路２０５等を収容する機械室２０３と、貯蔵空間２０２および機械室２０３を区画する区画壁２０４を備えている。
【００９０】
冷媒回路２０５は、前記実施の形態１で説明した密閉型圧縮機１００、放熱器２０６、減圧装置２０７、および吸熱器２０８を、配管２０９により環状に接続した構成となっている。つまり、冷媒回路２０５は、本発明に係る密閉型圧縮機１００を用いた冷凍サイクルの一例である。
【００９１】
冷媒回路２０５のうち、密閉型圧縮機１００、放熱器２０６、および減圧装置２０７は機械室２０３に配置され、吸熱器２０８は、図６には図示しない送風機を備える貯蔵空間２０２内に配置されている。吸熱器２０８の冷却熱は、破線の矢印で示すように、送風機によって貯蔵空間２０２内を循環するように撹拌される。
【００９２】
このように、本実施の形態に係る冷凍装置２００は、前記実施の形態１に係る密閉型圧縮機１００を搭載している。密閉型圧縮機１００は、前述したように密閉容器内ガス流入空間１５２ｂを有する構成となっているので、冷媒ガスの温度上昇を抑制することで、体積効率の低下を有効に抑制できるので、効率の高いものとなっている。このような効率の高い密閉型圧縮機１００により冷媒回路２０５を運転することで、冷凍装置２００の消費電力を低減することができ、省エネルギー化を実現することができる。
【００９３】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００９４】
本発明は、密閉型圧縮機の効率を向上することができるので、密閉型圧縮機の分野に広く好適に用いることができるとともに、例えば、電気冷凍冷蔵庫、エアーコンディショナー等の家庭用冷凍装置、あるいは、業務用ショーケース、自動販売機等の業務用冷凍装置等、密閉型圧縮機を用いた冷凍装置の分野に広く好適に用いることができる。
【符号の説明】
【００９５】
１００    密閉型圧縮機
１０１    密閉容器
１０４    吸入パイプ
１０５    吐出パイプ
１２０    電動要素
１３０    圧縮要素
１３１    シリンダブロック
１３２    ピストン
１３３    シリンダ
１３４    圧縮室
１３６    連結部
１４０    クランクシャフト
１４１    偏心軸
１４２    主軸
１５１    バルブプレート
１５１ａ    吸入孔
１５１ｂ    吐出孔
１５２    シリンダヘッド
１５２−１    ヘッド上部
１５２−２    ヘッド下部
１５２ａ    吐出空間
１５２ｂ    密閉容器内ガス流入空間
１５２ｃ    切欠き部
１５２ｄ  凹部
１５３    吸入バルブ
１５４    吐出管
１６０    吸入マフラー
１６１    尾管
１６２    連通管
１６２ａ    連通管出口部
１６２ｂ    開口部
１６２ｃ    断熱空間
１６３    マフラー本体
１６３ａ    消音空間
２００    冷凍装置
２０５    冷媒回路
２０６    放熱器
２０７    減圧装置
２０８    吸熱器
【図１】
2014122931.tif 000003
【図２】
2014122931.tif 000004
【図３】
2014122931.tif 000005
【図４】
2014122931.tif 000006
【図５】
2014122931.tif 000007
【図６】
2014122931.tif 000008
【図７】
2014122931.tif 000009
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
内部が密閉空間となっている密閉容器と、
当該密閉容器内に収容される電動要素と、
前記密閉容器内に収容され、前記電動要素により駆動され冷媒ガスを圧縮する圧縮要素と、を備え、
前記圧縮要素は、
その軸が上下方向となるように支持され、前記電動要素により回転駆動されるクランクシャフトと、
その軸が当該クランクシャフトの軸方向に対して交差する方向となるように設けられ、前記クランクシャフトの回転により往復運動するピストンと、
内部に圧縮室を形成し、その一端から前記ピストンが往復運動可能に挿入されているシリンダと、
前記シリンダの他端を封止するとともに、吸入孔および吐出孔が形成されたバルブプレートと、
前記シリンダの他端に対して前記バルブプレートを介して固定され、内部に前記吐出孔に連通する吐出空間を有するシリンダヘッドと、
前記シリンダよりも下方に位置し、内部に消音空間を有し、前記吸入孔に連結される連通管を備える吸入マフラーと、
を備え、
前記連通管は、前記吸入マフラーから前記シリンダの他端に向かって上方に延伸し、その上端に、前記吸入孔に連通する連通管出口部が設けられ、
前記シリンダヘッドの下部には、前記連通管出口部を内部に収容する凹部が設けられ、
前記連通管出口部と前記凹部との間には、前記密閉空間に連通する隙間である、密閉容器内ガス流入空間が設けられており、
前記シリンダヘッドには、当該シリンダヘッドの下部のうち、前記吸入孔を横方向に投影した投影面となる位置に、切欠き部が形成されている、
密閉型圧縮機。
【請求項２】
前記クランクシャフトの軸方向を縦方向とし、前記ピストンの軸方向を横方向としたときに、
前記密閉容器内ガス流入空間は、前記吐出空間の下方に位置し、かつ、前記連通管出口部の上部周面に面するように前記横方向に延伸する第一隙間と、前記連通管出口部の側部周面に面するように前記縦方向に延伸する第二隙間と、から構成され、
前記第一隙間の厚みは、前記第二隙間の厚みよりも大きくなっている、
請求項１に記載の密閉型圧縮機。
【請求項３】
前記連通管出口部の先端に設けられる開口部は、前記吸入孔に挿入されている、
請求項１に記載の密閉型圧縮機。
【請求項４】
前記連通管出口部には、前記バルブプレートに面する外周に、前記密閉空間から隔離された断熱空間が設けられているとともに、
当該断熱空間と前記連通管出口部の内部とを連通する連通孔が設けられている、
請求項１に記載の密閉型圧縮機。
【請求項５】
前記吸入マフラーは、樹脂を用いて成型され、
前記断熱空間は、前記吸入マフラーの成型時に一体的に形成されている、
請求項４に記載の密閉型圧縮機。
【請求項６】
複数の運転周波数でインバータ駆動される、
請求項１から５のいずれか１項に記載の密閉型圧縮機。
【請求項７】
請求項１から６のいずれか１項に記載の密閉型圧縮機と、放熱器と、減圧装置と、吸熱器と、を配管によって環状に連結した冷媒回路を有している、
冷凍装置。
【国際調査報告】
2014122931.tif 000010
2014122931.tif 000011
2014122931.tif 000012
2014122931.tif 000013